(57)【要約】【課題】給電装置と該給電装置に接続された電気機器との対応付けを精度よく行って、これらの対応関係の自動登録を適切に行う。【解決手段】複数の給電装置から電力情報を随時取得する電力情報取得部と、電気機器から固有アドレスを取得するアドレス取得部と、固有アドレスを取得した電気機器に対して遠隔制御を行う制御時刻を、他の電気機器の制御時刻と重ならないように設定する設定部と、制御時刻に固有アドレスを宛先として電気機器に所定動作を実行させる制御指令を送信する送信部と、制御時刻を基準とする所定の時間内に複数の給電装置から取得した電力情報の中から所定動作に対応する電力変化を示す電力情報を検出する検出部と、検出された電力情報の取得先である給電装置と、固有アドレスを持つ電気機器とを対応付ける対応付け部と、給電装置と電気機器との対応関係を表す登録情報を記憶する記憶部と、を備える。【選択図】図２
2015171198.tif 000002
【特許請求の範囲】
【請求項１】
複数の給電装置から電力情報を随時取得する電力情報取得部と、
電気機器から該電気機器の固有アドレスを取得するアドレス取得部と、
前記固有アドレスを取得した電気機器に対して遠隔制御を行う制御時刻を、他の電気機器の前記制御時刻と重ならないように設定する設定部と、
前記制御時刻に、前記固有アドレスを宛先として、電気機器に所定動作を実行させる制御指令を送信する送信部と、
前記制御時刻を基準とする所定の時間内に複数の給電装置から取得した電力情報の中から、前記所定動作に対応する電力変化を示す電力情報を検出する検出部と、
検出された電力情報の取得先である給電装置と、前記固有アドレスを持つ電気機器とを対応付ける対応付け部と、
給電装置と電気機器との対応関係を表す登録情報を記憶する記憶部と、を備えることを特徴とする自動登録装置。
【請求項２】
前記設定部は、複数の電気機器に対して、前記固有アドレスを取得した順番で、かつ、前記所定の時間以上の時刻差を持つように、前記制御時刻を設定することを特徴とする請求項１に記載の自動登録装置。
【請求項３】
前記設定部は、電気機器の使用頻度が低い時間帯として予め定められた時間帯に前記制御時刻を設定することを特徴とする請求項１または２に記載の自動登録装置。
【請求項４】
ユーザが電気機器に入力した入力情報を取得する入力情報取得部をさらに備え、
前記対応付け部は、検出された電力情報の取得先である給電装置の識別情報と、前記固有アドレスを持つ電気機器から取得した前記入力情報とを対応付けることを特徴とする請求項１〜３のいずれか一項に記載の自動登録装置。
【請求項５】
前記固有アドレスは、前記入力情報とともに電気機器から自動登録装置に送信されることを特徴とする請求項４に記載の自動登録装置。
【請求項６】
前記入力情報は、電気機器の機器名と該電気機器を使用するユーザのユーザ名との少なくとも一方を含むことを特徴とする請求項４または５に記載の自動登録装置。
【請求項７】
前記入力情報を入力しているユーザの位置情報を取得する位置情報取得部と、
前記位置情報に基づいて、電気機器が接続されている給電装置の位置を判定する判定部と、をさらに備え、
前記対応付け部は、検出された電力情報の取得先である給電装置の識別情報と、前記固有アドレスを持つ電気機器から取得した前記入力情報と、判定された給電装置の位置とを対応付けることを特徴とする請求項４〜６のいずれか一項に記載の自動登録装置。
【請求項８】
前記給電装置は、電気機器が接続される複数のコンセント口を有し、
前記電力情報取得部は、前記コンセント口ごとの電力情報を取得し、
前記検出部は、前記コンセント口ごとに取得した電力情報の中から、前記所定動作に対応する給電量の変化を示す電力情報を検出し、
前記対応付け部は、検出された電力情報に対応する給電装置のコンセント口と、前記固有アドレスを持つ電気機器とを対応付けることを特徴とする請求項１〜７のいずれか一項に記載の自動登録装置。
【請求項９】
自動登録装置において実行される自動登録方法であって、
前記自動登録装置が、複数の給電装置から電力情報を随時取得する工程と、
前記自動登録装置が、電気機器から該電気機器の固有アドレスを取得する工程と、
前記自動登録装置が、前記固有アドレスを取得した電気機器に対して遠隔制御を行う制御時刻を、他の電気機器の前記制御時刻と重ならないように設定する工程と、
前記自動登録装置が、前記制御時刻に、前記固有アドレスを宛先として、電気機器に所定動作を実行させる制御指令を送信する工程と、
前記自動登録装置が、前記制御時刻を基準とする所定の時間内に複数の給電装置から取得した電力情報の中から、前記所定動作に対応する電力変化を示す電力情報を検出する工程と、
前記自動登録装置が、検出された電力情報の取得先である給電装置と、前記固有アドレスを持つ電気機器とを対応付ける工程と、
前記自動登録装置が、給電装置と電気機器との対応関係を表す登録情報を記憶部に記憶させる工程と、を含むことを特徴とする自動登録方法。
【請求項１０】
コンピュータに、
複数の給電装置から電力情報を随時取得する機能と、
電気機器から該電気機器の固有アドレスを取得する機能と、
前記固有アドレスを取得した電気機器に対して遠隔制御を行う制御時刻を、他の電気機器の前記制御時刻と重ならないように設定する機能と、
前記制御時刻に、前記固有アドレスを宛先として、電気機器に所定動作を実行させる制御指令を送信する機能と、
前記制御時刻を基準とする所定の時間内に複数の給電装置から取得した電力情報の中から、前記所定動作に対応する電力変化を示す電力情報を検出する機能と、
検出された電力情報の取得先である給電装置と、前記固有アドレスを持つ電気機器とを対応付ける機能と、
給電装置と電気機器との対応関係を表す登録情報を記憶する機能と、を実現させるためのプログラム。
【発明の詳細な説明】
【技術分野】
【０００１】
本発明は、電気機器に電力を供給する給電装置と該給電装置に接続された電気機器との対応関係の登録を自動で行う自動登録装置、自動登録方法およびプログラムに関する。
【背景技術】
【０００２】
例えばオフィスなどには、ワーカが業務を行う各席にテーブルタップが設けられている。テーブルタップは、電気機器が接続されるコンセント口を備え、このコンセント口に接続された電気機器に対して、電力インフラからの電力を供給する。近年では、このようなテーブルタップに、コンセント口に接続された電気機器への給電量（電気機器に供給される電力であり、電気機器の消費電力に相当）を計測し、電力情報として外部のサーバ装置に送信する機能を持たせた、スマートタップと呼ばれる給電装置が開発されている。
【０００３】
スマートタップで計測された電気機器への給電量をサーバ装置で集計・蓄積することにより、どの電気機器がどの程度の電力を消費しているかを把握することが可能となり、例えば今後の電力利用計画の立案などに役立てることができる。この場合、予め、スマートタップとそれに接続されている電気機器とを対応付けて、その対応関係を登録しておくことが必要である。
【０００４】
しかし、どのスマートタップにどの電気機器が接続されているかを人手により調べ上げてその対応関係を登録する作業は、非常に煩雑な作業となる。特にオフィスにおいては、家庭よりも多くの給電装置と電気機器があるため、作業の煩雑さは甚大である。
【０００５】
特許文献１には、コンセントとそこに接続された電気機器との対応関係を自動で登録する技術が記載されている。この特許文献１に記載の技術では、サーバ装置から電気機器に対して制御コマンドを送信して電気機器に電源切断などの動作を実行させ、この動作に応じた所定の消費電力量のパターンを示す１つのコンセントを検出して、電気機器とコンセントとの対応関係を登録する。
【発明の概要】
【発明が解決しようとする課題】
【０００６】
しかし、特許文献１に開示される技術では、サーバ装置が管理する電気機器やコンセントの数が多いと、電気機器の動作に応じた消費電力のパターンを示すコンセントを一意に特定することが難しく、コンセントと電気機器との対応付けを精度よく行えない場合がある。
【０００７】
本発明は、上記に鑑みてなされたものであって、給電装置と該給電装置に接続された電気機器との対応付けを精度よく行って、これらの対応関係の自動登録を適切に行うことができる自動登録装置、自動登録方法およびプログラムを提供することを目的とする。
【課題を解決するための手段】
【０００８】
上述した課題を解決し、目的を達成するために、本発明に係る自動登録装置は、複数の給電装置から電力情報を随時取得する電力情報取得部と、電気機器から該電気機器の固有アドレスを取得するアドレス取得部と、前記固有アドレスを取得した電気機器に対して遠隔制御を行う制御時刻を、他の電気機器の前記制御時刻と重ならないように設定する設定部と、前記制御時刻に、前記固有アドレスを宛先として、電気機器に所定動作を実行させる制御指令を送信する送信部と、前記制御時刻を基準とする所定の時間内に複数の給電装置から取得した電力情報の中から、前記所定動作に対応する電力変化を示す電力情報を検出する検出部と、検出された電力情報の取得先である給電装置と、前記固有アドレスを持つ電気機器とを対応付ける対応付け部と、給電装置と電気機器との対応関係を表す登録情報を記憶する記憶部と、を備えることを特徴とする。
【発明の効果】
【０００９】
本発明によれば、給電装置と該給電装置に接続された電気機器との対応付けを精度よく行って、これらの対応関係の自動登録を適切に行うことができるという効果を奏する。
【図面の簡単な説明】
【００１０】
【図１】図１は、ネットワークシステムの概略構成を示すシステム構成図である。
【図２】図２は、自動登録装置の機能的な構成例を示すブロック図である。
【図３】図３は、ＰＣのディスプレイに表示される登録画面の一例を示す図である。
【図４】図４は、設定部による制御時刻の設定とＰＣの動作の具体例を説明する図である。
【図５】図５は、レイアウトマップの一例を示す概念図である。
【図６】図６は、ＰＣの遠隔制御に伴う電力変化の一例を示す図である。
【図７】図７は、制御時刻の前後それぞれ２分間に亘る電力情報の一例を示す図である。
【図８】図８は、初期状態の機器情報テーブルおよびタップ情報テーブルの一例を示す図である。
【図９】図９は、ＰＣから入力情報と固有アドレスを取得し、ＰＣに対する制御時刻を設定し、さらに、ＷＳＳから取得した位置情報に基づいてスマートタップの位置を判定した後の機器情報テーブルの一例を示す図である。
【図１０】図１０は、対応付け部によってスマートタップとＰＣとの対応付けが行われた後のタップ情報テーブルの一例を示す図である。
【図１１】図１１は、自動登録装置による処理手順の一例を示すフローチャートである。
【発明を実施するための形態】
【００１１】
以下に添付図面を参照して、この発明に係る自動登録装置、自動登録方法およびプログラムの実施形態を詳細に説明する。以下で示す実施形態は、オフィス内でワーカが業務を行う各席に設置された給電装置としてのスマートタップと、このスマートタップに接続された電気機器としてのＰＣ（Personal  Computer）との対応関係を自動登録する例である。なお、給電装置はスマートタップに限らず、給電量を計測して自動登録装置に電力情報を送信する機能を持つものであれば、例えば、構造物に固定されたコンセント（アウトレット）などであってもよい。また、電気機器はＰＣに限らず、給電装置に接続されて使用される電気機器であって、通信ネットワーク上の固有アドレスを持つものであれば、他の電気機器であってもよい。
【００１２】
図１は、本実施形態の自動登録装置１００を含むネットワークシステムの概略構成を示すシステム構成図である。図１に示すように、自動登録装置１００は、例えばＬＡＮ（Local  Area  Network）などの通信ネットワーク上に構築されたサーバ装置として実現され、この通信ネットワークを介して、複数のワーカが業務で使用する複数のＰＣ２００と通信可能な構成とされている。なお、自動登録装置１００は、スマートタップと電気機器との対応関係の自動登録に特化した単独のサーバ装置として実現されてもよいし、例えばオフィス内の電力利用状況を管理して電力制御を行うＥＭＳ（Energy  Management  System）サーバにおける機能の一つとして実現されてもよい。また、自動登録装置１００は、クラウドシステム上で動作する仮想マシンとして実現されてもよい。
【００１３】
複数のＰＣ２００のそれぞれは、例えば、オフィス内のワーカが業務を行う各席に設置され、同じ席に設置されたスマートタップ３００に接続されて使用される。複数のＰＣ２００のそれぞれは、各種の情報を表示するディスプレイと、各種の情報を入力するためのキーボードやマウスなどの入力装置を備えるものとする。
【００１４】
複数のスマートタップ３００のそれぞれは、当該スマートタップ３００に接続された電気機器への給電量を計測し、計測した給電量を示す電力情報を、例えばＷｉ−Ｆｉ（Wireless  Fidelity）などの無線通信によって自動登録装置１００に送信する機能を持つ。なお、スマートタップ３００と自動登録装置１００との間の通信の方式はＷｉ−Ｆｉに限定されるものではなく、その他の無線通信方式を利用してもよいし、Ｅｔｈｅｒｎｅｔ（登録商標）ケーブルやＰＬＣ（Power  Line  Communication）などを用いた有線通信方式であってもよい。
【００１５】
本実施形態では、複数のスマートタップ３００のそれぞれが、電気機器のプラグが差し込まれるコンセント口を４つずつ持つものとする。各スマートタップ３００は、コンセント口ごとに、そのコンセント口に接続された電気機器への給電量を計測する。そして、各スマートタップ３００は、コンセント口ごとに計測された給電量を示す電力情報にそのコンセント口の口番号などの識別情報を付加し、コンセント口ごとの電力情報を１つのパケットにまとめてスマートタップ３００を識別するタップＩＤを付加して、自動登録装置１００に送信する。スマートタップ３００から自動登録装置１００への電力情報の送信は、例えば１分など、予め定められた時間間隔で定期的に行う。なお、スマートタップ３００は、このような定期的な電力情報の送信のほか、自動登録装置１００からの要求に応じて不定期で電力情報を送信する構成であってもよい。また、スマートタップ３００に設けられるコンセント口の数は任意であり、１つのコンセント口のみを持つ構成であってもよい。この場合は、コンセント口の識別情報は不要となる。
【００１６】
また、本実施形態では、オフィス内で業務を行う各ワーカが、それぞれＷＳＳ（ワークステートセンサ）４００を携行しているものとする。ＷＳＳ４００は、加速度・ジャイロ・地磁気センサと、歩行者向けの慣性航法技術（ＰＤＲ：Pedestrian  Dead  Reckoning）による位置・方位検出機能を搭載した小型の屋内測位デバイスである。
【００１７】
各ワーカが携行するＷＳＳ４００は、例えばＷｉ−Ｆｉなどの無線通信により、自動登録装置１００に対してワーカの位置（方位を含む）を示す位置情報を送信する機能を持つ。なお、ＰＤＲによりオフィス内におけるワーカの位置・方位を検出する技術としては、例えば特開２０１３−１３７１７８号公報に記載された技術を用いることができる。ＷＳＳ４００は、例えば、加速度・ジャイロ・地磁気センサを備えるスマートフォンなどの携帯端末に、ＰＤＲによる位置・方位検出機能をアプリケーションプログラムとして実装することで実現できる。
【００１８】
図２は、本実施形態の自動登録装置１００の機能的な構成例を示すブロック図である。自動登録装置１００は、通信部１１０と、設定部１２０と、判定部１３０と、検出部１４０と、対応付け部１５０と、電力情報蓄積部１６０と、登録情報記憶部１７０と、を備える。
【００１９】
通信部１１０は、自動登録装置１００の外部の機器と通信する機能モジュールであり、電力情報取得部１１１と、入力情報取得部１１２と、アドレス取得部１１３と、送信部１１４と、位置情報取得部１１５とを含む。
【００２０】
電力情報取得部１１１は、複数のスマートタップ３００のそれぞれから送信された上述の電力情報を取得（受信）して、電力情報蓄積部１６０に格納する。電力情報蓄積部１６０には、電力情報取得部１１１によって各スマートタップ３００から取得された電力情報が、その電力情報が送信された時間を示す時間情報に関連付けられて、履歴として蓄積される。電力情報蓄積部１６０に履歴として蓄積された電力情報は、時間やタップＩＤなどをキーとして検索することができる。なお、本実施形態では、電力情報蓄積部１６０を自動登録装置１００の内部に設けているが、自動登録装置１００の外部の他のサーバ装置などに電力情報蓄積部１６０を設けた構成であってもよい。
【００２１】
入力情報取得部１１２は、ＰＣ２００を使用するワーカ（ユーザ）がＰＣ２００に入力した入力情報を、ＰＣ２００から取得（受信）する。入力情報は、例えばＰＣ２００の名称である機器名や、ＰＣ２００を使用するワーカの名前であるユーザ名などである。本実施形態では、ワーカがＰＣ２００に機器名とユーザ名との双方を入力するものとするが、いずれか一方であってもよい。
【００２２】
入力情報取得部１１２が入力情報を取得する方法の一例を説明する。例えば、ワーカがＰＣ２００を用いて自動登録装置１００にアクセスすると、入力情報取得部１１２は、このＰＣ２００からのアクセスに対する応答として、入力情報を入力するための登録画面の画面情報をＰＣ２００に送信する。これにより、ＰＣ２００のディスプレイに登録画面が表示される。ＰＣ２００のディスプレイに表示される登録画面の一例を図３に示す。図３に示す登録画面５００は、機器名を入力するためのテキストボックス５１０と、ユーザ名を入力するためのテキストボックス５２０と、「送信」ボタン５３０とを含んでいる。ＰＣ２００がＷｅｂブラウザを搭載している場合、自動登録装置１００にＷｅｂサーバの機能を持たせることで、この図３に示すような登録画面５００を、ＰＣ２００のディスプレイにＷｅｂ画面として表示させることができる。
【００２３】
ＰＣ２００を使用するワーカは、キーボードやマウスなどの入力装置を用いて、ＰＣ２００のディスプレイに表示された登録画面５００のテキストボックス５１０に機器名、テキストボックス５２０にユーザ名をそれぞれ入力し、「送信」ボタン５３０をクリックする。これにより、ワーカにより入力された機器名およびユーザ名が入力情報としてＰＣ２００から自動登録装置１００に送信され、この入力情報が入力情報取得部１１２によって取得される。入力情報取得部１１２が取得した入力情報は、例えば登録情報記憶部１７０が保持する後述の機器情報テーブルＴｂ１のレコードに格納される。入力情報を取得したＰＣ２００に対しては固有の識別情報である機器ＩＤが付与され、ＰＣ２００から取得した入力情報は、この機器ＩＤと対応付けて機器情報テーブルＴｂ１のレコードに格納される。以降、同一のＰＣ２００に関する情報は同一のレコードに格納されて、機器ＩＤによって管理される。
【００２４】
アドレス取得部１１３は、ＰＣ２００から、このＰＣ２００に割り当てられた通信ネットワーク上の固有アドレスを取得（受信）する。ＰＣ２００の固有アドレスは、例えば、ＩＰ（Internet  Protocol）アドレスやＭＡＣ（Media  Access  Control）アドレスなどである。ＰＣ２００の固有アドレスは、例えば、上述した入力情報とともにＰＣ２００から自動登録装置１００に送信され、アドレス取得部１１３により取得される。すなわち、ＰＣ２００は、ワーカが入力した入力情報を自動登録装置１００に送信する際に、内部の記憶装置に格納されている自己のＩＰアドレスやＭＡＣアドレスなどの固有アドレスを読み出して、入力情報とともに自動登録装置１００に送信する。なお、ＰＣ２００の固有アドレスは、入力情報とは異なるタイミングでＰＣ２００から自動登録装置１００に送信されるようにしてもよい。アドレス取得部１１３が取得したＰＣ２００の固有アドレスは、上述の入力情報とともに機器情報テーブルＴｂ１の対応するレコードに格納される。
【００２５】
送信部１１４は、固有アドレスを取得済みのＰＣ２００に対して後述の設定部１２０が設定した制御時刻に、固有アドレスを宛先として、ＰＣ２００に所定動作を実行させる制御指令を送信する。本実施形態では、ＰＣ２００がスタンバイ状態へ移行する動作を所定動作として定めているものとする。スタンバイ状態とは、例えばＣＰＵへの電力供給など、当該スタンバイ状態から復帰するのに必要な最低限の電力供給のみが行われている状態である。このように、本実施形態では、送信部１１４からＰＣ２００に対して制御信号を送信することで、自動登録装置１００による遠隔制御により、ＰＣ２００をスタンバイ状態へと移行させる。
【００２６】
送信部１１４は、ＰＣ２００をスタンバイ状態へ移行させるための制御指令を、このＰＣ２００に対して設定された制御時刻に、このＰＣ２００から取得された固有アドレスを宛先として送信する。これにより、制御指令の宛先とされた固有アドレスを持つＰＣ２００がこの制御指令を受信し、制御指令に応じてスタンバイ状態への移行を行う。なお、送信部１１４は、例えば制御指令に固有アドレスを付加した形式で、通信ネットワークに対して制御指令をブロードキャストする構成であってもよい。この場合、ＰＣ２００は、ブロードキャストされた制御指令に自身の固有アドレスが付加されているか否かを判定し、自身の固有アドレスが付加されている場合に、その制御指令を受信してスタンバイ状態への移行を行う。
【００２７】
なお、本実施形態では、後述するように、設定部１２０が、例えば深夜の時間帯など、勤務時間以外の時間帯にＰＣ２００に対する制御時刻を設定するようにしている。このため、ワーカは退社時にＰＣ２００をスタンバイ状態にして退社するものとし、自動登録装置１００が、制御時刻の少し前の時刻（以下、予備制御時刻という。）に、ＰＣ２００をスタンバイ状態から復帰させる。このような制御は、例えば、ＷＯＬ（Wake  on  LAN）と呼ばれる公知の技術を用いて行うことができる。予備制御時刻は設定部１２０により設定された制御時刻よりも前であればよく、例えば制御時刻の５分前など、制御時刻を基準とした時刻差を予め定めておけばよい。
【００２８】
位置情報取得部１１５は、ＰＣ２００に上述した入力情報を入力しているワーカが携行するＷＳＳ４００から、当該ワーカの位置（方位を含む）を示す位置情報を取得（受信）する。ＷＳＳ４００とこれを携行するワーカとの対応関係は、予め登録されているものとする。位置情報取得部１１５は、例えば、入力情報取得部１１２がＰＣ２００から入力情報を取得した際に、この入力情報（例えばユーザ名）をもとに、入力情報を入力しているワーカが携行するＷＳＳ４００を特定する。そして、位置情報取得部１１５は、このＷＳＳ４００に対して位置情報の送信を要求し、この要求に応じてＷＳＳ４００から送信される位置情報を取得（受信）する。なお、各ＷＳＳ４００から位置情報を随時受信してワーカの動態把握を行う別のサーバ装置が存在する場合、位置情報取得部１１５は、このサーバ装置からワーカの位置情報を取得するようにしてもよい。位置情報取得部１１５が取得した位置情報は、判定部１３０に渡される。
【００２９】
設定部１２０は、アドレス取得部１１３が固有アドレスを取得したＰＣ２００に対して遠隔制御を行う制御時刻を、他のＰＣ２００に対して設定する制御時刻と重ならないように設定する。例えば、設定部１２０は、複数のＰＣ２００に対して、アドレス取得部１１３が固有アドレスを取得した順番（つまり、ワーカが入力情報を入力した順番）で、かつ、隣り合う２つの制御時刻が所定の時間以上の時刻差を持つように、各ＰＣ２００に対する制御時刻を設定する。この際、設定部１２０は、各ＰＣ２００に対する制御時刻を、ＰＣ２００の使用頻度が低い時間帯として予め定められた時間帯に設定することが望ましい。本実施形態では、設定部１２０は、例えば深夜の時間帯など、勤務時間以外の時間帯にＰＣ２００に対する制御時刻を設定する。これにより、自動登録装置１００の遠隔制御によってＰＣ２００がスタンバイ状態に移行する動作を、ワーカの操作やＰＣ２００の自律的な機能によってＰＣ２００がスタンバイ状態に移行する動作から区別できるとともに、勤務時間中にＰＣ２００が不用意にスタンバイ状態に移行することで業務に支障が生じる不都合を有効に抑制することができる。
【００３０】
設定部１２０が各ＰＣ２００に対して設定した制御時刻は、例えば、入力情報や固有アドレスとともに機器情報テーブルＴｂ１の対応するレコードに格納される。なお、機器情報テーブルＴｂ１に格納された制御時刻は、この制御時刻にＰＣ２００に対する遠隔制御が行われた後は不要となるため消去される。
【００３１】
図４は、設定部１２０による制御時刻の設定とＰＣ２００の動作の具体例を説明する図である。ここでは、制御時刻の５分前を予備制御時刻と定めているものとする。
【００３２】
例えば図４（ａ）に示すように、ワーカＡが出社後、ＡＭ９：００〜９：０１の間に自席のＰＣ２００に入力情報を入力したとする。このＰＣ２００は、ワーカＡが入力した入力情報を、自己の固有アドレスとともに自動登録装置１００に送信する。自動登録装置１００では、ＰＣ２００から送信された入力情報を入力情報取得部１１２が取得するとともに、ＰＣ２００の固有アドレスをアドレス取得部１１３が取得する。このとき、自動登録装置１００の設定部１２０は、ワーカＡが使用するＰＣ２００に対する制御時刻を、例えば深夜のＡＭ１：０５に設定する。
【００３３】
また、図４（ｂ）に示すように、ワーカＢが出社後、ＡＭ９：０５〜９：０６の間に自席のＰＣ２００に入力情報を入力したとする。ワーカＢが使用するＰＣ２００は、ワーカＢが入力した入力情報を、自己の固有アドレスとともに自動登録装置１００に送信する。自動登録装置１００では、ＰＣ２００から送信された入力情報を入力情報取得部１１２が取得するとともに、ＰＣ２００の固有アドレスをアドレス取得部１１３が取得する。このとき、ワーカＢが使用するＰＣ２００の固有アドレスはワーカＡが使用するＰＣ２００よりも後に取得されたため、自動登録装置１００の設定部１２０は、ワーカＢが使用するＰＣ２００に対する制御時刻を、ワーカＡが使用するＰＣ２００に対して設定した制御時刻よりも後の時刻、例えば深夜のＡＭ１：１５に設定する。
【００３４】
その後、ワーカＡとワーカＢはそれぞれ自席のＰＣ２００を使用して業務を行い、定時以降に退社するが、退社時にはＰＣ２００をスタンバイ状態にしておく。そして、それぞれのＰＣ２００は、予備制御時刻になるとＷＯＬによりスタンバイ状態から復帰する。本例では、予備制御時刻を制御時刻の５分前と定めているので、深夜のＡＭ１：００にワーカＡが使用するＰＣ２００がスタンバイ状態から復帰し、深夜のＡＭ１：１０にワーカＢが使用するＰＣ２００がスタンバイ状態から復帰する。
【００３５】
ワーカＡが使用するＰＣ２００の制御時刻は深夜のＡＭ１：０５に設定されているため、この時刻になると、自動登録装置１００の送信部１１４からワーカＡが使用するＰＣ２００の固有アドレスを宛先として、スタンバイ状態への移行を指示する制御指令が送信される。ワーカＡが使用するＰＣ２００は、この自動登録装置１００からの制御指令を受信し、この制御指令に応じてスタンバイ状態へと移行する。
【００３６】
ワーカＢが使用するＰＣ２００の制御時刻は深夜のＡＭ１：１５に設定されているため、この時刻になると、自動登録装置１００の送信部１１４からワーカＢが使用するＰＣ２００の固有アドレスを宛先として、スタンバイ状態への移行を指示する制御指令が送信される。ワーカＢが使用するＰＣ２００は、この自動登録装置１００からの制御指令を受信し、この制御指令に応じてスタンバイ状態へと移行する。
【００３７】
判定部１３０は、位置情報取得部１１５がＷＳＳ４００から取得した位置情報に基づいて、このＷＳＳ４００を携行するワーカが入力情報を入力しているＰＣ２００が接続されているスマートタップ３００の位置を判定する。本実施形態では、自動登録装置１００が、オフィス内でワーカが業務を行う各席の位置を示すレイアウトマップを保持しているものとする。図５は、レイアウトマップの一例を示す概念図である。判定部１３０は、ＷＳＳ４００から取得した位置情報に基づき、図５に例示するようなレイアウトマップ上でＷＳＳ４００を携行するワーカの位置ＰＷおよびワーカが向いている方向ＤＷを特定する。そして、判定部１３０は、例えば、ワーカの位置ＰＷに近く、ワーカが向いている方向ＤＷにある席（図５の例ではハッチングが付された席）の代表座標（例えば、席の左上角部のＸＹ座標など）を、ＰＣ２００が接続されているスマートタップ３００の位置であると判定する。
【００３８】
判定部１３０により判定されたスマートタップ３００の位置は、例えば、当該スマートタップ３００に接続されているＰＣ２００に対応する機器情報テーブルＴｂ１のレコードに格納される。なお、この段階では、ＰＣ２００が接続されているスマートタップ３００の位置は分かるが、このスマートタップ３００がどのタップＩＤで識別されるスマートタップであるかまでは分かっていない。このため、この段階ではスマートタップ３００の位置を機器情報テーブルＴｂ１に格納しているが、後述の対応付け部１５０によるスマートタップ３００とＰＣ２００との対応付けが完了すると、スマートタップ３００の位置情報は、登録情報記憶部１７０が保持する後述のタップ情報テーブルＴｂ２に格納され、機器情報テーブルＴｂ１から消去される。
【００３９】
検出部１４０は、ＰＣ２００に対する制御時刻を基準とする所定の時間内にオフィス内の各スマートタップ３００から取得した電力情報の中から、ＰＣ２００の所定動作（本実施形態ではスタンバイ状態への移行）に対応する電力変化を示す電力情報を検出する。
【００４０】
オフィス内の各スマートタップ３００でコンセント口ごとに計測された給電量を示す電力情報は、上述したように、スマートタップ３００から自動登録装置１００に随時送信され、電力情報取得部１１１によって取得される。そして、電力情報取得部１１１によって各スマートタップ３００から取得された電力情報が、その電力情報が送信された時間を示す時間情報に関連付けられて、電力情報蓄積部１６０に履歴（電力使用履歴）として蓄積される。
【００４１】
検出部１４０は、この電力情報蓄積部１６０から、例えば、ＰＣ２００に対する制御時刻の前後それぞれ２分間（合計４分間）に亘って取得されたすべての電力情報を取り出して、その中で、ＰＣ２００がスタンバイ状態から復帰する際の電力変化を示す電力情報を検出する。具体的には、検出部１４０は、例えば、制御時刻の２分前と１分前の電力がともに１０Ｗ以上で、かつ、制御時刻の２分後の電力が５Ｗ未満となっている電力情報を、ＰＣ２００がスタンバイ状態から復帰する際の電力変化を示す電力情報として検出する。
【００４２】
図６は、ＰＣ２００の遠隔制御に伴う電力変化の一例を示す図である。予備制御時刻にＰＣ２００がＷＯＬによってスタンバイ状態から復帰する前は、ＰＣ２００への給電量は十分に低い状態となっている。その後、ＰＣ２００がスタンバイ状態から復帰すると、ＰＣ２００に対する給電量が増加し、制御時刻の２分前、１分前では、それぞれＰＣ２００に対する給電量が十分に高い状態となる。そして、制御時刻においてＰＣ２００がスタンバイ状態へ移行すると、その後はＰＣ２００に対する給電量が減少し、制御時刻の２分後にはＰＣ２００に対する給電量が十分に低い状態になる。
【００４３】
したがって、検出部１４０は、上述した条件、すなわち、制御時刻の２分前と１分前の電力がともに１０Ｗ以上で、かつ、制御時刻の２分後の電力が５Ｗ未満であるといった条件を用いることで、ＰＣ２００がスタンバイ状態に移行する際の電力変化を示す電力情報を適切に検出することができる。なお、制御時刻の１分後は、ＰＣ２００がスタンバイ状態に移行している最中であることも想定され、ＰＣ２００に対する給電量が十分に低い状態となっていない場合があるので、制御時刻の２分後の給電量で判断している。
【００４４】
図７は、制御時刻の前後それぞれ２分間に亘る電力情報の一例を示す図である。図７の（ａ）〜(ｅ）は、スマートタップ３００のコンセント口単位で計測された電力を示す電力情報であり、それぞれ異なるコンセント口あるいは異なるスマートタップ３００での計測結果を示している。なお、図７の例では、制御時刻がＡＭ１：１５に設定されているものとしている。
【００４５】
これらの電力情報のうち、制御時刻の２分前と１分前の電力がともに１０Ｗ以上で、かつ、制御時刻の２分後の電力が５Ｗ未満となっているのは、（ａ）の電力情報である。したがって、図７に示す例においては、検出部１４０は、ＰＣ２００がスタンバイ状態に移行する際の電力変化を示す電力情報として、（ａ）の電力情報を検出する。
【００４６】
対応付け部１５０は、検出部１４０によって検出された電力情報の取得先であるスマートタップ３００と、この電力情報の検出に用いた制御時刻に制御指令を送信した宛先の固有アドレスを持つＰＣ２００とを対応付ける。すなわち、対応付け部１５０は、制御時刻を基準とする所定の時間内に取得された電力情報のうち、ＰＣ２００がスタンバイ状態に移行した際の電力変化を示す電力情報を送信しているスマートタップ３００のコンセント口に、制御時刻に制御指令を送信したＰＣ２００が接続されているものとして、これらスマートタップ３００のコンセント口とＰＣ２００とを対応付ける。この対応付けは、例えば、登録情報記憶部１７０が保持するタップ情報テーブルＴｂ２のレコードに、対応するＰＣ２００から取得した入力情報（機器名やユーザ名）を格納することで実施できる。
【００４７】
ここで、登録情報記憶部１７０が保持する機器情報テーブルＴｂ１およびタップ情報テーブルＴｂ２の具体例を例示しながら、対応付け部１５０による処理について詳しく説明する。
【００４８】
図８は、いずれのＰＣ２００からも入力情報や固有アドレスを取得していない初期状態の機器情報テーブルＴｂ１およびタップ情報テーブルＴｂ２の一例を示す図であり、（ａ）が機器情報テーブルＴｂ１、（ｂ）がタップ情報テーブルＴｂ２をそれぞれ示している。図８（ａ）に示すように、機器情報テーブルＴｂ１には、例えば「機器ＩＤ」、「機器名」、「ユーザ名」、「ＩＰアドレス」、「ＭＡＣアドレス」、「制御時刻」および「タップの位置＜Ｘ座標、Ｙ座標＞」の各項目が設けられている。初期状態では、これら各項目のいずれの情報も格納されておらず、ブランクの状態となっている。
【００４９】
一方、タップ情報テーブルＴｂ２には、図８（ｂ）に示すように、例えば「タップＩＤ」、「タップ名」、「（口番号）機器ＩＤ：機器名［ユーザ名］」、「タップの位置＜Ｘ座標＞」および「タップの位置＜Ｙ座標＞」の各項目が設けられている。初期状態では、これらの各項目のうち、「タップＩＤ」および「タップ名」の項目に、オフィス内の各スマートタップ３００に対して予め付与されたタップＩＤとタップ名の情報が事前に格納されている。また、「（口番号）機器ＩＤ：機器名［ユーザ名］」の項目には、スマートタップ３００のコンセント口を示す口番号の情報のみが事前に格納されており、その他の情報はブランクの状態となっている。各スマートタップ３００は、自動登録装置１００に対して電力情報を送信する際に、このタップ情報テーブルＴｂ２に事前に格納されたタップＩＤと口番号を付加した電力情報を送信する。
【００５０】
図９は、ＰＣ２００から入力情報と固有アドレスを取得し、ＰＣ２００に対する制御時刻を設定し、さらに、ＷＳＳ４００から取得した位置情報に基づいてスマートタップ３００の位置を判定した後の機器情報テーブルＴｂ１の一例を示す図である。入力情報取得部１１２および固有アドレス取得部１１３によってＰＣ２００から入力情報および固有アドレスが取得されると、そのＰＣ２００に対して機器ＩＤが付与され、入力情報である機器名およびユーザ名と固有アドレスとが、この機器ＩＤと対応付けて、機器情報テーブルＴｂ１のレコードに格納される。また、設定部１２０によってこのＰＣ２００に対する制御時刻が設定されると、同じレコードに、このＰＣ２００に対して設定された制御時刻が格納される。さらに、判定部１３０によってこのＰＣ２００が接続されているスマートタップ３００の位置が判定されると、同じレコードに、その位置を示すＸ座標およびＹ座標が格納される。その結果、機器情報テーブルＴｂ１は図９に示すように、各項目に情報が格納された状態となる。
【００５１】
図１０は、対応付け部１５０によってスマートタップ３００とＰＣ２００との対応付けが行われた後のタップ情報テーブルＴｂ２の一例を示す図である。対応付け部１５０は、上述したように、検出部１４０によって検出された電力情報の取得先であるスマートタップ３００のコンセント口と、制御時刻に制御指令の宛先とした固有アドレスを持つＰＣ２００とを対応付ける。この際、対応付け部１５０は、検出部１４０によって検出された電力情報に付加されたタップＩＤおよび口番号をもとに、この電力情報に対応するタップ情報テーブルＴｂ２のレコードを特定し、このレコードの「（口番号）機器ＩＤ：機器名［ユーザ名］」の項目に、固有アドレスであるＩＰアドレスおよびＭＡＣアドレスによって特定されるＰＣ２００の機器名およびユーザ名を格納する。また、対応付け部１５０は、検出部１４０によって検出された電力情報に付加されたタップＩＤに対応するレコードの「タップの位置＜Ｘ座標＞」および「タップの位置＜Ｙ座標＞」の項目に、このスマートタップ３００の位置を示すＸ座標およびＹ座標を格納する。これらの情報は、図９に例示した機器情報テーブルＴｂ１からタップ情報テーブルＴｂ２に転記される。なお、図９に例示した機器情報テーブルＴｂ１の「制御時刻」の項目は、対応付け部１５０による対応付けが終了した後は不要になるため、機器情報テーブルＴｂ１から削除される。また、図９に例示した機器情報テーブルＴｂ１の「タップの位置＜Ｘ座標、Ｙ座標＞」の項目は、タップ情報テーブルＴｂ２に転記されると不要になるため、機器情報テーブルＴｂ１から削除される。
【００５２】
以上のように、登録情報記憶部１７０が保持するタップ情報テーブルＴｂ２に、スマートタップ３００とこれに接続されているＰＣ２００の情報が対応付けて格納されることにより、スマートタップ３００とＰＣ２００との対応関係が自動登録される。
【００５３】
図１１は、本実施形態の自動登録装置１００による処理手順の一例を示すフローチャートである。以下、この図１１のフローチャートに沿って、本実施形態の自動登録装置１００の動作概要を説明する。図１１に示す一連の処理は、ワーカが自席のＰＣ２００を用いて自動登録装置１００にアクセスし、図３に例示したような登録画面５００から入力情報を入力することにより開始され、ＰＣ２００ごとに独立して行われる。なお、自動登録装置１００においては、図１１に示す一連の処理とは別に、電力情報取得部１１１によってオフィス内の各スマートタップ３００から電力情報が随時取得する処理が行われ、各スマートタップ３００から取得された電力情報が電力情報蓄積部１６０に随時格納される。
【００５４】
図１１に示す一連の処理が開始されると、入力情報取得部１１２が、ＰＣ２００から送信された入力情報を取得するとともに、アドレス取得部１１３が、ＰＣ２００から送信された固有アドレスを取得する（ステップＳ１０１）。ＰＣ２００から取得した入力情報および固有アドレスは、登録情報記憶部１７０が保持する機器情報テーブルＴｂ１に格納される。
【００５５】
次に、位置情報取得部１１５が、ＰＣ２００に入力情報を入力しているワーカが携行するＷＳＳ４００から、ワーカの位置や向き（方位）を示す位置情報を取得する（ステップＳ１０２）。そして、判定部１３０が、ステップＳ１０２で取得された位置情報をオフィスのレイアウトマップ上で照合して、ＰＣ２００が接続されているスマートタップ３００の位置を判定する（ステップＳ１０３）。判定されたスマートタップ３００の位置は、登録情報記憶部１７０が保持する機器情報テーブルＴｂ１に格納される。
【００５６】
次に、設定部１２０が、入力情報および固有アドレスを取得したＰＣ２００に対して遠隔制御を行う制御時刻を設定する（ステップＳ１０４）。この制御時刻は、他のＰＣ２００に対して設定した制御時刻と重ならないように、例えばステップＳ１０１で入力情報および固有アドレスを取得した順番で、かつ、隣り合う制御時刻が所定の時間以上の時刻差を持つように設定される。なお、このステップＳ１０４の処理は、ステップＳ１０２やステップＳ１０３の処理よりも前に行うようにしてもよい。
【００５７】
次に、送信部１１４が、ステップＳ１０４で設定された制御時刻になるのを待って（ステップＳ１０５：Ｎｏ）、制御時刻になると（ステップＳ１０５：Ｙｅｓ）、ステップＳ１０１で取得された固有アドレスを宛先として、ＰＣ２００をスタンバイ状態に移行させるための制御指令を送信する（ステップＳ１０６）。
【００５８】
次に、検出部１４０が、ステップＳ１０４で設定された制御時刻を基準とする所定の時間内にスマートタップ３００から取得されたすべての電力情報を電力情報蓄積部１６０から読み出して、これらの電力情報の中から、ＰＣ２００がスタンバイ状態に移行する際の電力変化を示す電力情報を検出する（ステップＳ１０７）。
【００５９】
最後に、対応付け部１５０が、ステップＳ１０７で検出された電力情報の取得先であるスマートタップ３００のコンセント口と、ステップＳ１０６で制御指令を送信する宛先とした固有アドレスを持つＰＣ２００とを対応付けて、その対応関係を登録情報記憶部１７０が保持するタップ情報テーブルＴｂ２に格納し（ステップＳ１０８）、一連の処理を終了する。
【００６０】
以上、具体的な例を挙げながら詳細に説明したように、本実施形態の自動登録装置１００は、電気機器としてのＰＣ２００から固有アドレスを取得し、固有アドレスを取得したＰＣ２００に対して遠隔制御を行う制御時刻を、他のＰＣ２００の制御時刻と重ならないように設定し、制御時刻になると、固有アドレスを宛先としてＰＣ２００をスタンバイ状態に移行させる制御指令を送信する。そして、制御時刻を基準とする所定の時間内に各スマートタップ３００から取得した電力情報の中から、スタンバイ状態への移行に対応する電力変化を示す電力情報を検出し、検出された電力情報の取得先であるスマートタップ３００と、制御指令の宛先とした固有アドレスを持つＰＣ２００とを対応付けて、その対応関係を登録情報記憶部１７０が保持するタップ情報テーブルＴｂ２に格納する。したがって、本実施形態の自動登録装置１００によれば、オフィスのように登録の対象となるＰＣ２００やスマートタップ３００の数が多い環境であっても、ＰＣ２００の遠隔制御に応じた電力変化を示す電力情報を送信したスマートタップ３００を一意に特定することができ、スマートタップ３００とＰＣ２００との対応付けを精度よく行って、これらの対応関係の自動登録を適切に行うことができる。
【００６１】
また、本実施形態の自動登録装置１００は、複数のＰＣ２００に対する制御時刻を、固有アドレスを取得した順番で、かつ、隣り合う制御時刻が所定の時間以上の時刻差を持つように設定するので、複数のＰＣ２００に対する遠隔制御を適切に行うことができる。
【００６２】
また、本実施形態の自動登録装置１００は、ＰＣ２００の使用頻度が低い時間帯として予め定められた時間帯、例えば深夜などの勤務時間以外の時間帯に制御時刻を設定するので、ＰＣ２００の遠隔制御による電力変化とＰＣ２００の通常使用による電力変化とが区別できなくなる不都合を有効に抑制することができる。
【００６３】
また、本実施形態の自動登録装置１００は、ワーカがＰＣ２００から入力した機器名やユーザ名などの入力情報をスマートタップ３００のタップＩＤに対応付けるので、例えばスマートタップ３００で計測された電力を表示して見える化を行う場合に、入力情報をそのまま電力に対応付けて表示することで、どのワーカが使用するどのＰＣ２００でどれだけの電力が使用されているかを明示的に示すことができる。
【００６４】
また、本実施形態の自動登録装置１００は、ワーカによってＰＣ２００に入力情報が入力されたときに、入力情報とともにＰＣ２００の固有アドレスを取得するので、固有アドレスの取得を効率よく行うことができる。
【００６５】
また、本実施形態の自動登録装置１００は、ＰＣ２００に入力情報を入力しているワーカの位置情報を取得し、この位置情報に基づいてＰＣ２００が接続されているスマートタップ３００の位置を判定し、入力情報に加えてスマートタップ３００の位置をスマートタップ３００のタップＩＤに対応付けるので、例えばスマートタップ３００の点検などで所在を確認したい場合などに、その位置を容易に把握することが可能となる。
【００６６】
以上説明した本実施形態の自動登録装置１００は、例えば、汎用のコンピュータ装置を基本ハードウェアとして用い、コンピュータ装置に搭載されたプロセッサにプログラムを実行させることにより実現することができる。このとき、自動登録装置１００は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。また、上記のプログラムをサーバーコンピュータ装置上で実行させ、ネットワークを介してその結果をクライアントコンピュータ装置で受け取ることにより実現してもよい。
【００６７】
本実施形態の自動登録装置１００で実行されるプログラムは、自動登録装置１００を構成する各処理部（電力情報取得部１１１、入力情報取得部１１１２、アドレス取得部１１３、送信部１１４、位置情報取得部１１５、設定部１２０、判定部１３０、検出部１４０および対応付け部１５０）を含むモジュール構成となっており、実際のハードウェアとしては、例えば、プロセッサが上記のプログラムを読み出して実行することにより、上記各処理部が主記憶上にロードされ、主記憶上に生成されるようになっている。なお、本実施形態の自動登録装置１００は、上述した各処理部の一部または全部を、ＡＳＩＣ（Application  Specific  Integrated  Circuit）やＦＰＧＡ（Field-Programmable  Gate  Array）などの専用のハードウェアを用いて実現することも可能である。
【００６８】
以上、本発明の具体的な実施形態について詳細に説明したが、本発明は上述した実施形態そのままに限定されるものではなく、実施段階ではその要旨を逸脱しない範囲で様々な変形や変更を加えながら具体化することができる。
【００６９】
例えば、上述した実施形態では、タップ情報テーブルＴｂ２を、電力情報蓄積部１６０が蓄積する電力情報とは別の独立した情報として実現しているが、タップ情報テーブルＴｂ２を電力情報と組み合わせた構成としてもよい。この場合、電力情報蓄積部１６０には、タップ３００（コンセント口）と電気機器２００との対応付けが完了する前は、図８（ｂ）に示した形式のタップ情報テーブルＴｂ２に対して、コンセント口ごとの給電量を追加した形式で電力情報が蓄積される。そして、タップ３００（コンセント口）と電気機器２００との対応付けが行われると、図１０に示した例と同様に、図８（ｂ）の空欄の情報が埋められて、その後は、図１０に示した形式のタップ情報テーブルＴｂ２にコンセント口ごとの給電量を追加した形式の電力情報が、電力情報蓄積部１６０に蓄積されていく。
【符号の説明】
【００７０】
１００  自動登録装置
１１０  通信部
１１１  電力情報取得部
１１２  入力情報取得部
１１３  アドレス取得部
１１４  送信部
１１５  位置情報取得部
１２０  設定部
１３０  判定部
１４０  検出部
１５０  対応付け部
１６０  電力情報蓄積部
１７０  登録情報記憶部
２００  ＰＣ（電気機器）
３００  スマートタップ（給電装置）
４００  ＷＳＳ
【先行技術文献】
【特許文献】
【００７１】
【特許文献１】特開２０１１−１９７９３１号公報
【図１】
2015171198.tif 000003
【図２】
2015171198.tif 000004
【図３】
2015171198.tif 000005
【図４】
2015171198.tif 000006
【図５】
2015171198.tif 000007
【図６】
2015171198.tif 000008
【図７】
2015171198.tif 000009
【図８】
2015171198.tif 000010
【図９】
2015171198.tif 000011
【図１０】
2015171198.tif 000012
【図１１】
2015171198.tif 000013